(57)【要約】    【課題】装置本体に対して開閉可能な開閉部が設けられ、所定の入力を行う入力部が該開閉部に設けられてなる画像形成装置において、使用者が意図しない入力に基づいて装置が動作されることを防止する手段を提供する。    【解決手段】プリンタ部２に対して開閉可能なスキャナ部３が設けられ、所定の入力を行う操作パネル５がスキャナ部３に設けられてなり、スキャナ部３の開閉状態を検知する開閉センサ１１と、スキャナ部３が開状態であることを示す信号を開閉センサ１１から受信した場合に、該信号の受信前の所定時間内に受け付けた操作パネル５からの入力を無効にし、又は、操作パネル５からの入力に基づく動作を停止する制御部７０とを具備する。【選択図】図７
2007010949.tif 000002
【特許請求の範囲】
【請求項１】
装置本体に対して開閉可能な開閉部が設けられ、所定の入力を行う入力部が該開閉部に設けられてなる画像形成装置であって、
上記開閉部の開閉状態を検知する開閉センサと、
上記開閉部が開状態であることを示す信号を上記開閉センサから受信した場合に、該信号の受信前の所定時間内に受け付けた上記入力部からの入力を無効にし、又は、上記入力部からの入力に基づく動作を停止する制御部と、を具備するものである画像形成装置。
【請求項２】
上記制御部は、上記開閉部が閉状態であることを示す信号を上記開閉センサから受信して所定時間が経過した場合に、上記入力部からの入力を受け付けるものである請求項１に記載の画像形成装置。
【請求項３】
装置本体に対して開閉可能な開閉部が設けられ、所定の入力を行う入力部が該開閉部に設けられてなる画像形成装置であって、
上記開閉部の開閉状態を検知する開閉センサと、
上記開閉部が開状態であることを示す信号を上記開閉センサから受信した場合に、上記入力部からの入力を拒否し、且つ、上記開閉部が閉状態であることを示す信号を上記開閉センサから受信して所定時間が経過した場合に、上記入力部からの入力を受け付ける制御部と、を具備するものである画像形成装置。
【請求項４】
上記開閉部は、原稿の画像読取りを行う画像読取部と、読み取るべき原稿の有無を検知する原稿セットセンサとを備えてなり、
上記制御部は、原稿セットセンサから原稿有りを示す信号を受信した場合に、上記開閉部が閉状態であることを示す信号を上記開閉センサから受信して所定時間が経過する間に、上記入力部から受信した読取開始を示す入力を受け付けるものである請求項２又は３に記載の画像形成装置。
【請求項５】
上記制御部は、上記入力部からの動作停止を示す入力を上記開閉センサからの信号にかかわらず常に受け付けるものである請求項１から４のいずれかに記載の画像形成装置。
【請求項６】
上記入力部は、開閉部の自由端側に配置されたものである請求項１から５のいずれかに記載の画像形成装置。
【請求項７】
上記開閉部は、上記装置本体に対して上側に回動するように開閉されるものであり、上記入力部は、該開閉部の上面側に配置されたものである請求項６に記載の画像形成装置。
【請求項８】
上記制御部は、上記入力部からの入力を拒否する場合に、警告音生成部に警告音を発生させるものである請求項１から７のいずれかに記載の画像形成装置。
【請求項９】
上記画像読取部は、プラテンガラスに載置された原稿に対して画像読取ユニットを走査して画像読取りを行うフラットベッドスキャナを備え、上記原稿セットセンサは、該プラテンガラスに載置される原稿の有無を検知するものである請求項４に記載の画像形成装置。
【請求項１０】
上記画像読取部は、原稿載置部から搬送路を通じて画像読取ユニットによる読取位置に原稿を搬送し、さらに搬送路を通じて読取り後の原稿を原稿排紙部へ搬送する自動原稿搬送機構を備え、上記原稿セットセンサは、該原稿載置部に載置される原稿の有無を検知するものである請求項４に記載の画像形成装置。
【発明の詳細な説明】
【技術分野】
【０００１】
本発明は、装置本体に対して開閉可能な開閉部が設けられ、所定の入力を行う入力部が該開閉部に設けられてなる画像形成装置に関する。
【背景技術】
【０００２】
従来より、記録用紙に画像記録を行うプリンタ部と、原稿の画像読取りを行うスキャナ部とが一体にされた画像形成装置が知られている。このような、画像形成装置では、フラットベッドスキャナとして用いるスキャナ部において、スキャナカバーの開閉動作及び原稿の載置を容易にするために、スキャナ部をプリンタ部の上側に配置したものが多い。また、画像形成装置の入力部は、入力や画面確認に容易のために、装置正面の上側に配置することが好適である。したがって、スキャナ部の正面側に入力部を配置したものが多い。
【０００３】
このような従来の画像形成装置において、スキャナ部がプリンタ部に対して開閉可能に構成されているものがある。プリンタ部には、トナーカートリッジ又は感光ドラムの交換やジャム処理のために開口が形成され、通常の動作時は、該開口がカバーにより閉止されている。このような開口の一つがプリンタ部の上面に形成されている場合に、該開口から感光ドラム等を交換したりジャム処理を行ったりする際の作業の容易のために、プリンタ部の上側に配置されたスキャナ部が上側へ開くように回動可能となっている。
【０００４】
スキャナ部の正面側を持ってスキャナ部が開閉される際に、使用者が意図せずに入力部を触ってしまうおそれがある。入力部には、スキャナ部及びプリンタ部への入力を行うための各種操作ボタンが配設されており、画像形成装置の多機能化に伴い、入力部のボタンの数は多くなってきている。これに伴い、入力部の面積も広くなり、使用者が意図せずに入力に触る可能性も高くなる。このような、使用者が意図しない入力を回避するために、スタートやストップ等の特定の操作以外を無効にするモードが設定可能な画像形成装置が提案されている（特許文献１参照）。
【０００５】
【特許文献１】特開平５−３３３９８８号公報
【発明の開示】
【発明が解決しようとする課題】
【０００６】
しかし、特定の操作以外を無効にするモードが設定可能であっても、該モードの設定は使用者が行う必要がある。したがって、使用者には、スキャナ部を開閉する毎にモード設定及び解除のための操作が求められ、操作が煩わしいほか、使用者がモード設定を忘れれば、やはり意図しない入力が行われるおそれがある。
【０００７】
また、スキャナ部の開閉動作と、意図しない入力が行われるタイミングとは必ずしも一致しない。例えば、使用者が、スキャナ部を開くためにスキャナ部の正面を持ったとすれば、その際に意図しない入力が行われているおそれがある。したがって、仮に、スキャナ部の開閉を検知するセンサを設けて、前述したようなモード設定を自動的に行うとしても、該センサがスキャナ部の開状態を検知する前に意図しない入力が行われる場合に対応できないという問題がある。使用者が、スキャナ部を閉じるためにスキャナ部の正面を持った場合にも、同様の問題がある。
【０００８】
また、スキャナ部を閉じた後、直ちに使用者が入力部に所望の入力を行うことも想定される。そのような入力は意図しない入力ではないので、該入力に基づく動作が行われることが望ましい。
【０００９】
本発明は、このような問題に鑑みてなされたものであり、装置本体に対して開閉可能な開閉部が設けられ、所定の入力を行う入力部が該開閉部に設けられてなる画像形成装置において、使用者が意図しない入力に基づいて装置が動作されることを防止する手段を提供することを目的とする。
【課題を解決するための手段】
【００１０】
(1)本発明は、装置本体に対して開閉可能な開閉部が設けられ、所定の入力を行う入力部が該開閉部に設けられてなる画像形成装置であって、上記開閉部の開閉状態を検知する開閉センサと、上記開閉部が開状態であることを示す信号を上記開閉センサから受信した場合に、該信号の受信前の所定時間内に受け付けた上記入力部からの入力を無効にし、又は、上記入力部からの入力に基づく動作を停止する制御部と、を具備するものである。
【００１１】
開閉部は、使用者により装置本体に対して開閉される。開閉部が開かれると、開閉センサは開閉部が開状態であることを示す信号を出力する。開閉部が開かれる際に、使用者が意図せずに入力部に触ることがある。これにより、入力部に使用者が意図しない入力がされることがある。制御部は、開閉部が開状態であることを示す信号を受信した場合に、入力部からの入力を拒否する。したがって、開閉部が開かれた後の入力部への入力は無効になる。また、制御部は、該信号の受信前の所定時間内に受け付けた入力部からの入力を無効にする。したがって、開閉部が開かれる直前に行われた使用者が意図しない入力に基づいて、制御部が装置を動作させることがない。また、制御部は、上記入力部からの入力に基づく動作が行われている場合には、該動作を停止する。これにより、装置が動作中に開閉部が開かれた後に、装置が動作を継続することがない。
【００１２】
(2)また、上記制御部は、上記開閉部が閉状態であることを示す信号を上記開閉センサから受信して所定時間が経過した場合に、上記入力部からの入力を受け付けるものであってもよい。
【００１３】
開閉部が閉じられると、開閉センサは開閉部が閉状態であることを示す信号を出力する。開閉部が閉じられる際に、使用者が意図せずに入力部に触ることがある。これにより、入力部に使用者が意図しない入力がされることがある。制御部は、開閉部が閉状態であることを示す信号を受信して所定時間が経過した場合に、入力部からの入力を受け付ける。したがって、開閉部が閉じられた直後に行われた使用者が意図しない入力に基づいて、制御部が装置を動作させることがない。
【００１４】
(3)また、本発明は、装置本体に対して開閉可能な開閉部が設けられ、所定の入力を行う入力部が該開閉部に設けられてなる画像形成装置であって、上記開閉部の開閉状態を検知する開閉センサと、上記開閉部が開状態であることを示す信号を上記開閉センサから受信した場合に、上記入力部からの入力を拒否し、且つ、上記開閉部が閉状態であることを示す信号を上記開閉センサから受信して所定時間が経過した場合に、上記入力部からの入力を受け付ける制御部と、を具備するものである。
【００１５】
開閉部は、使用者により装置本体に対して開閉される。開閉部が開かれると、開閉センサは開閉部が開状態であることを示す信号を出力する。開閉部が開かれる際に、使用者が意図せずに入力部に触ることがある。これにより、入力部に使用者が意図しない入力がされることがある。制御部は、開閉部が開状態であることを示す信号を受信した場合に、入力部からの入力を拒否する。したがって、開閉部が開かれた後の入力部への入力は無効になる。
【００１６】
一方、開閉部が閉じられると、開閉センサは開閉部が閉状態であることを示す信号を出力する。開閉部が閉じられる際に、使用者が意図せずに入力部に触ることがある。これにより、入力部に使用者が意図しない入力がされることがある。制御部は、開閉部が閉状態であることを示す信号を受信して所定時間が経過した場合に、入力部からの入力を受け付ける。したがって、開閉部が閉じられた直後に行われた使用者が意図しない入力に基づいて、制御部が装置を動作させることがない。
【００１７】
(4)また、本発明は、上記画像形成装置において、上記開閉部は、原稿の画像読取りを行う画像読取部と、読み取るべき原稿の有無を検知する原稿セットセンサとを備えてなり、上記制御部は、原稿セットセンサから原稿有りを示す信号を受信した場合に、上記開閉部が閉状態であることを示す信号を上記開閉センサから受信して所定時間が経過する間に、上記入力部から受信した読取開始を示す入力を受け付けるものである。
【００１８】
前述したように、開閉部が閉じられると、開閉センサは開閉部が閉状態であることを示す信号を出力する。また、制御部は、開閉部が閉状態であることを示す信号を受信して所定時間が経過した場合に、入力部からの入力を受け付ける。一方、開閉部が閉状態であることを示す信号を制御部が受信してから所定時間が経過する前に、使用者により、画像読取部に原稿がセットされて、入力部に読取開始の入力が行われる場合がある。このような入力は、使用者の意思に基づく操作である。画像読取部に原稿がセットされると、原稿セットセンサが原稿有りを示す信号を出力する。また、入力部に読取開始が入力されると、入力部は読取開始を示す信号を出力する。制御部は、開閉部が閉状態であることを示す信号を上記開閉センサから受信して所定時間が経過する間に、原稿有りを示す信号を受信した場合には、読取開始を示す入力を受け付けて、画像読取部に画像読取りを行わせる。
【００１９】
(5)また、上記制御部は、上記入力部からの動作停止を示す入力を上記開閉センサからの信号にかかわらず常に受け付けるものであってもよい。
【００２０】
制御部は、動作停止を示す入力を受信すると、画像形成部の動作や画像読取部の動作を停止させて、装置を待機状態にする。この動作は、使用者の意志に拘わらず行われても問題が生じない。したがって、制御部は、上記入力部から上記開閉部の開閉状態を示すいずれの信号を受信しているかにかかわらず、動作停止を示す入力を常に受け付ける。
【００２１】
(6)また、上記入力部は、開閉部の自由端側に配置されたものであってもよい。
【００２２】
使用者は、開閉部の自由端側を持って開閉部を開閉する可能性が高い。したがって、入力部が開閉部の自由端側に配置されると、開閉部が開閉される際に、使用者が意図せずに入力部に触る可能性が高い。よって、本発明の効果が顕著に発揮される。
【００２３】
(7)また、上記開閉部は、上記装置本体に対して上側に回動するように開閉されるものであり、上記入力部は、該開閉部の上面側に配置されたものであってもよい。
【００２４】
開閉部の上面側は、使用者が意図せずに接触し易い箇所である。また、開閉部は、装置本体に対して上側に回動するように開閉される。この開閉部を閉じる場合には、使用者は開閉部の上面を押し下げるように操作する可能性が高い。したがって、開閉部の上面に入力部が配置されると、使用者が意図せずに入力部に触る可能性が高い。よって、本発明の効果が顕著に発揮される。
【００２５】
(8)また、上記制御部は、上記入力部からの入力を拒否する場合に、警告音生成部に警告音を発生させるものであってもよい。
【００２６】
仮に使用者が意図する入力を入力部に行ったとしても、制御部が該入力を拒否した場合には警告音生成部から警告音が発生する。これにより、使用者は、行った入力が拒否されたことを聴覚により認識することができる。
【００２７】
(9)また、上記画像読取部は、プラテンガラスに載置された原稿に対して画像読取ユニットを走査して画像読取りを行うフラットベッドスキャナを備え、上記原稿セットセンサは、該プラテンガラスに載置される原稿の有無を検知するものであってもよい。
【００２８】
プラテンガラスに原稿が載置されると、原稿セットセンサが原稿有りを示す信号を出力する。そして、入力部に読取開始が入力されると、入力部は読取開始を示す信号を出力する。制御部は、開閉部が閉状態であることを示す信号を上記開閉センサから受信して所定時間が経過する間に、原稿有りを示す信号を受信した場合には、読取開始を示す入力を受け付けて、画像読取部に画像読取りを行わせる。
【００２９】
(10)また、上記画像読取部は、原稿載置部から搬送路を通じて画像読取ユニットによる読取位置に原稿を搬送し、さらに搬送路を通じて読取り後の原稿を原稿排紙部へ搬送する自動原稿搬送機構を備え、上記原稿セットセンサは、該原稿載置部に載置される原稿の有無を検知するものであってもよい。
【００３０】
原稿載置部に原稿が載置されると、原稿セットセンサが原稿有りを示す信号を出力する。そして、入力部に読取開始が入力されると、入力部は読取開始を示す信号を出力する。制御部は、開閉部が閉状態であることを示す信号を上記開閉センサから受信して所定時間が経過する間に、原稿有りを示す信号を受信した場合には、読取開始を示す入力を受け付けて、画像読取部に画像読取りを行わせる。
【発明の効果】
【００３１】
このように本発明によれば、開閉部が開かれると、開閉センサは開閉部が開状態であることを示す信号を出力し、該信号を受信した制御部が、入力部からの入力を拒否することとしたので、開閉部が開かれた後の入力部への入力に基づいて制御部が装置を動作させることがない。また、制御部は、該信号の受信前の所定時間内に受け付けた入力部からの入力を無効にするので、開閉部が開かれる直前に行われた使用者が意図しない入力が無効になる。これにより、使用者が意図しない入力に基づいて、制御部が装置を動作させることが防止される。また、制御部は、上記入力部からの入力に基づく動作が行われている場合には、該動作を停止するので、装置が動作中に開閉部が開かれた後に、装置の動作が継続することが防止される。
【００３２】
また、本発明によれば、開閉部が開かれると、開閉センサは開閉部が開状態であることを示す信号を出力し、該信号を受信した制御部は、入力部からの入力を拒否することとしたので、開閉部が開かれた後の入力部への入力に基づいて制御部が装置を動作させることがない。また、開閉部が閉じられると、開閉センサは開閉部が閉状態であることを示す信号を出力し、該信号を受信した制御部は、該信号を受信して所定時間が経過した後に、入力部からの入力を受け付けるので、開閉部が閉じられた直後に行われた使用者が意図しない入力が無効となる。これにより、使用者が意図しない入力に基づいて、制御部が装置を動作させることが防止される。
【発明を実施するための最良の形態】
【００３３】
以下、適宜図面を参照して本発明の実施形態を説明する。
図１は、本発明の実施の形態に係る複合機１（画像形成装置）の外観構成を示すものである。本複合機１は、下部にプリンタ部２を、上部にスキャナ部３（開閉部、画像読取部）を一体的に備えた多機能装置（ＭＦＤ：Multi Function Device）であり、プリンタ機能、スキャナ機能、コピー機能等を有する。なお、プリンタ機能以外の機能は任意の機能であり、スキャナ部３を省いて、プリンタ部２の上側に操作パネル５を備えた画像形成装置として本発明を実施してもよいし、複合機１に更にファクシミリ機能等が付加されていてもよい。
【００３４】
複合機１は、主に不図示のコンピュータ（外部情報機器）と接続されて、該コンピュータから送信された画像データや文書データを含む印刷データに基づいて、プリンタ部２が記録用紙に画像や文書を記録する。また、スキャナ部３により読み取られた画像データをコンピュータへ送信する。また、コンピュータとの間でデータの送受信をすることなく、スキャナ部３で読み取った画像をプリンタ部２において記録する所謂コピー機能を行うことも可能である。なお、以下に説明する複合機１の構成は、本発明に係る画像形成装置の一例であり、本発明の要旨を変更しない範囲で構成を適宜変更できることは当然である。
【００３５】
図１に示すように、複合機１は概ね直方体の外形であり、プリンタ部２とスキャナ部３との間に、装置正面側に開口した空間が形成されている。プリンタ部２が複合機１の装置本体をなしている。プリンタ部２の上面は排紙トレイ２１である。プリンタ部２の底面側には給紙カセット２０が設けられている。給紙カセット２０には、所定の記録用紙Ｐが装填されている。給紙カセット２０に装填された記録用紙Ｐは、プリンタ部２の内部に給送されて画像記録が行われ、排紙トレイ２１へ排出される。排紙トレイ２１に排出された画像形成後の記録用紙Ｐは、プリンタ部２とスキャナ部３との間の空間により、装置正面から取り出せるようになっている。プリンタ部２の内部構成については後述する。
【００３６】
スキャナ部３は、所謂フラットベッドスキャナとして構成されている。図１及び図３に示すように、原稿カバー４０の下側に、プラテンガラス４２及び画像読取ユニット４４が設けられている。プラテンガラス４２は画像読取りを行う原稿Ｇを載置するためのものである。プラテンガラス４２の下方には、複合機１の奥行き方向を主走査方向とする画像読取ユニット４４が設けられている。画像読取ユニット４４がプラテンガラス４２上の原稿Ｇに対して移動される間に、原稿Ｇの画像読み取りが行われる。また、原稿カバー４０にはオート・ドキュメント・フィーダー４（以下「ＡＤＦ」という。）が装備されている。ＡＤＦ４は自動原稿搬送機構であり、給紙トレイ４６（原稿載置部）から排紙トレイ４８（原稿排紙部）へ原稿を連続的に搬送し、その搬送過程においてプラテンガラス４３上を原稿Ｇが通過する際に原稿の画像読み取りが行われる。スキャナ部３の内部構成について後述する。
【００３７】
スキャナ部３の正面側の上面には、プリンタ部２やスキャナ部３を操作するための操作パネル５（入力部）が設けられている。操作パネル５は各種操作ボタンや液晶表示部から構成されている。各種操作ボタンは、例えば、複合機１の電源をオン／オフするための電源ボタンや、スキャナ部２やプリンタ部３の動作を開始するためのスタートボタン、動作の停止や設定の終了を行うためのストップボタン、スキャナ機能、コピー機能、ファクシミリ機能等の機能を選択するためのモードボタン、コピー枚数等を入力するためのダイヤルボタン、各種設定ボタン等の複数のボタンから構成される。操作パネル５の所定のボタンが押下されることにより、複合機１の制御部に所定の入力が加わる。液晶表示部には、複合機１の現在の状態や使用者への操作案内等が表示される。複合機１は、操作パネル５への入力の基づいて制御部により動作される。勿論、前述したように、複合機１がコンピュータに接続されている場合には、複合機１は、コンピュータからプリンタドライバ又はスキャナドライバを介して送信される指示に基づいても動作される。
【００３８】
以下、プリンタ部２の内部構成について図１及び図２を用いて詳述する。
プリンタ部２の最下部には、給紙カセット２０が設けられている。給紙カセット２０は薄平形状の直方体であり、内部に記録用紙Ｐが装填される。給紙カセット２０は、プリンタ部２の本体に対して前方へ着脱可能であり、使用者は、給紙カセット２０をプリンタ部２から外した状態で記録用紙Ｐを装填し、該給紙カセット２０をプリンタ部２に装着する。
【００３９】
給紙カセット２０から、排紙トレイ２１には搬送路２２が形成されている。搬送路２２は、記録用紙Ｐを搬送するためのものである。搬送路２２は、給紙カセット２０の奥部からプリンタ部２の背面に沿って上方へ延び、正面側へ湾曲して排紙トレイ２１に連続されている。
【００４０】
給紙カセット２０の奥部には、給紙ローラ２３が設けられている。給紙ローラ２３は、給紙カセット２０に装填された複数枚の記録用紙Ｐの最上紙と圧接されている。この圧接状態で給紙ローラ２３が回転されることにより、該回転力を受けた最上位置の記録用紙Ｐが搬送路２２に繰り込まれる。
【００４１】
給紙ローラ２３の下流側の搬送路２２には、中間転写部２４が設けられている。中間転写部２４は、中間転写ベルト２５とベルトローラ２６とにより構成されている。中間転写ベルト２５は、３つのベルトローラ２６により支持され、ベルトローラ２６の回転により周運動される。この周運動の間に、中間転写ベルト２５は感光体ベルト２７と接する。この接触により感光体ベルト２７に現像されたトナー画像が中間転写ベルト２５に転写される。そして、搬送路２２において、中間転写ベルト２５のトナー画像が転写ローラ２８の電荷により記録用紙Ｐに転写される。
【００４２】
感光体ベルト２７は、３つのベルトローラ２９に支持され、ベルトローラ２９の回転により周運動される。この周運動の間に、感光体ベルト２７は、帯電、露光、現像が行われてトナー画像が形成される。
【００４３】
感光体ベルト２７の下側には、帯電器３０が設けられている。帯電器３０は、コロナ帯電により感光体ベルト２７の表面を所定の電圧に帯電するものである。なお、帯電器として、例えば接触方式のローラ帯電やブラシ帯電等の他の周知の帯電デバイスを用いてもよい。
【００４４】
帯電器３０より、感光体ベルト２７の周運動方向の下流側には、レーザスキャナ３１が設けられている。レーザスキャナ３１は、帯電された感光体ベルト２７の表面に対して、画像データに基づいてレーザを走査して、感光体ベルト２７に静電画像を形成するものである。なお、レーザスキャナ３１に代えて、例えばリニアアレイ光源等の周知の露光デバイスを用いてもよい。
【００４５】
レーザスキャナ３１より、感光体ベルト２７の周運動の下流側には、現像ユニット３２が設けられている。現像ユニット３２は、シアン・マゼンタ・イエロー・ブラックの各色のトナーを収容した４種類のものが上下方向に列設されている。現像ユニット３２は、合成樹脂製のケースに、各色トナー、現像ローラ、供給ローラ等が設けられたものである。ケース中の各色トナーは、供給ローラにより現像ローラに供給されて、その電荷により現像ローラの表面に付着し、該現像ローラから感光体ベルト２７の静電画像に対して各色トナーが移動して、トナー画像が形成される。感光体ベルト２７の表面に形成されたトナー画像は、前述したように、その後、中間転写ベルト２５に転写される。なお、本実施の形態では、４色のトナーを用いてカラー画像形成を行う場合を示したが、モノクロ画像形成を行う場合には、現像ユニット３２は黒色のみでよい。
【００４６】
中間転写ベルト２５と感光体ベルト２７との接点より下流側には、クリーニングユニット３３が設けられている。感光体ベルト２７に残存した各色トナーは、クリーニングユニット３３により感光体ベルト２７から取り除かれる。
【００４７】
中間転写ベルト２５の下流側の搬送路２２には、定着ユニット３４が設けられている。定着ユニット３４は、搬送路２２を挟むようにして対向する加熱ローラと加圧ローラとからなる。この定着ユニット３４により、記録用紙Ｐに転写されたトナー画像が溶融、加圧されて記録用紙Ｐに定着される。
【００４８】
定着ユニット３４の下流側であって搬送路２２の最下流側には、一対の排出ローラ３５が設けられている。トナー画像が定着された記録用紙Ｐは、排出ローラ３５にニップされ、その回転力を受けて、排紙トレイ２１へ排紙される。
【００４９】
以下、スキャナ部３の内部構成を図１及び図３を用いて詳述する。
スキャナ部３は、原稿載置台４１の上面に原稿カバー４０が開閉可能に設けられてなる。原稿載置台４１には、原稿カバー４０と対向する天面に露出するようにしてプラテンガラス４２，４３が配設されている。原稿載置台４１に対して原稿カバー４０が開かれることにより、プラテンガラス４２，４３が露出される。また、原稿カバー４０が閉じられることにより、プラテンガラス４２，４３を含めて原稿載置台４１の上面全体が覆われる。原稿載置台４１の内部には、該プラテンガラス４２，４３に対向するようにして画像読取ユニット４４が内蔵されている。なお、原稿載置台４１の正面側の上面に操作パネル５が設けられている。
【００５０】
プラテンガラス４２は、スキャナ部３をＦＢＳとして使用する場合に原稿Ｇが載置されるものであり、例えば透明なガラス板からなる。原稿載置台４１の上面中央には、プラテンガラス４２を露出するための開口が形成されており、該開口から露出されたプラテンガラス４２の領域がＦＢＳにおける原稿読取領域となる。
【００５１】
プラテンガラス４３は、スキャナ部３のＡＤＦ４を使用する場合の読取位置であり、例えば透明なガラス板からなる。プラテンガラス４３は、画像読取ユニット４４の主走査方向の長さに対応して、複合機１の奥行き方向に延設されている。
【００５２】
プラテンガラス４２とプラテンガラス４３との間に、位置決め部材４５が介設されている。位置決め部材４５は、プラテンガラス４３と同様に複合機１の奥行き方向に延設された長尺の平板状の部材である。位置決め部材４５は、ＦＢＳにおける原稿載置面であるプラテンガラス４２上に原稿が載置される際に、原稿の位置決め基準として用いられる。そのために、位置決め部材４５の上面には、中央位置やＡ４サイズ、Ｂ５サイズ等の各種原稿サイズの両端位置を示す表示が記されている。また、位置決め部材４５の上面には、ＡＤＦ４によりプラテンガラス４３上を通過する原稿Ｇをすくい上げてＡＤＦ４に戻すガイド面が形成されている。
【００５３】
画像読取ユニット４４は、光源からプラテンガラス４２，４３を通じて原稿Ｇに光を照射し、該原稿Ｇからの反射光をレンズにより受光素子に集光して電気信号に変換するいわゆるイメージセンサであり、例えば、密着型のＣＩＳ（Contact Image Sensor）イメージセンサや縮小光学系のＣＣＤ（Charge Coupled Device）イメージセンサを用いることができる。また、画像読取ユニット４４は、走査機構であるベルト駆動機構によりプラテンガラス４２，４３の下方を走査可能に設けられており、キャリッジモータの駆動力を受けてプラテンガラス４２，４３と平行に往復移動するように走査される。
【００５４】
原稿カバー４０には、給紙トレイ４６から搬送路４７を経て排紙トレイ４８へ原稿Ｇを連続搬送するＡＤＦ４が備えられている。該ＡＤＦ４による搬送過程において、原稿Ｇがプラテンガラス４３上を通過し、該プラテンガラス４３の下方において待機する画像読取ユニット４４が該原稿Ｇの画像を読み取るようになっている。
【００５５】
原稿カバー４０には、給紙トレイ４６及び排紙トレイ４８が、給紙トレイ４６をが上側として上下二段に設けられている。給紙トレイ４６は、ＡＤＦ４により画像読取りを行う原稿Ｇが載置されるためのものであり、複数枚の原稿Ｇが読取面を上にした積層状態で給紙方向の先端を搬送路４７に挿入するようにして、給紙トレイ４６上に載置される。
【００５６】
排紙トレイ４８は、給紙トレイ４６の下側に上下方向に隔てた位置にあり、原稿カバー４０の上面に一体的に形成されている。したがって、ＡＤＦ４から排紙された原稿Ｇは、給紙トレイ４６上の原稿Ｇと分離した状態で排紙トレイ４８上に読取面を下にして積載されるようにして保持される。
【００５７】
図に示すように、ＡＤＦ４の内部には、給紙トレイ４６と排紙トレイ４８とを連結するようにして、縦断面視において横向き略Ｕ字形状の搬送路４７が形成されている。この搬送路４７は、ＡＤＦ本体を構成する部材やガイド板等により、原稿Ｇが通過可能な所定幅の通路として連続的に形成されている。搬送路４７は、給紙トレイ４６から原稿カバー４０の一端側（図左側）へ延出され、続いて下方へ反転するように湾曲してプラテンガラス４３上の読取位置に至り、該読取位置から排紙トレイ４８へ向かって延出された縦断面視が横向き略Ｕ字形状のものである。
【００５８】
搬送路４７には、原稿Ｇを搬送するための搬送手段が配設されている。図に示すように、搬送路４７にそれぞれ設けられた吸入ローラ４９、分離ローラ５０、搬送ローラ５１、及び排紙ローラ５２とこれらに圧接するピンチローラ５３とによって搬送手段が構成されている。なお、搬送手段を構成する各ローラ等の構成は一例であり、ローラの数や配置を変更する等、その他の公知の搬送手段に変更できることは勿論である。
【００５９】
搬送路４７の最上流付近には、吸入ローラ４９及び分離ローラ５０が設けられている。吸入ローラ４９は、分離ローラ５０の回転軸と同軸に設けられたアーム５４の先端部に回転自在に設けられている。また、分離ローラ５０は、該吸入ローラ４９から給紙方向へ隔てた位置に、搬送路４７の対向面に当接するようにして回転可能に設けられている。これら吸入ローラ４９及び分離ローラ５０は、搬送モータからの駆動力が伝達されて回転駆動されるようになっており、アーム５４も搬送モータからの駆動力が伝達されて揺動するようになっている。また、吸入ローラ４９及び分離ローラ５０は同径であり、同じ周速度で回転される。また、分離ローラ５０の対向位置に、分離ローラ５０のローラ面と圧接して、摩擦により原稿Ｇを分離する分離パッドが配設されている。
【００６０】
搬送ローラ５１は、搬送路４７の所定位置に複数配設されている。詳細には、分離ローラ５０の直下流側と、搬送路４７の直線部分の上側部分と、読取位置の直上流側及び直下流側との４箇所に搬送ローラ５１が配置されているが、この配置は一例であり、搬送ローラ５１の配置を適宜変更できることは勿論である。これら搬送ローラ５１は、搬送モータからの駆動力が伝達されて回転駆動されるようになっている。
【００６１】
また、各搬送ローラ５１の対向位置には、ピンチローラ５３がそれぞれ設けられている。各ピンチローラ５３は、その軸がバネに弾性付勢されることにより、各搬送ローラ５１のローラ面に圧接されている。そして、搬送ローラ５１が回転すれば、これに従動してピンチローラ５３も回転する。これらピンチローラ５３により、原稿Ｇが搬送ローラ５１に圧接されて、搬送ローラ５１の回転力が原稿に伝達される。
【００６２】
排紙ローラ５２は、搬送路４７の最下流付近に配設されており、搬送ローラ５１と同様に、搬送モータからの駆動力が伝達されて回転駆動されるようになっている。また、排紙ローラ５２の対向位置にもピンチローラ５３がそれぞれ設けられており、該ピンチローラ５３はバネにより弾性付勢されて、排紙ローラ５２に圧接されている。
【００６３】
搬送路４７には、原稿の搬送を検知するための複数のセンサが設けられている。詳細には、搬送路４７には、分離ローラ５０の上流側及び下流側に、原稿セットセンサ５５及びフロントセンサ５６がそれぞれ配設されている。また、読取位置の直上流側にリアセンサ５７が配設されている。これら各センサは、所謂光学センサであり、検出する位置の違いにより検出子の形状等が異なる他は同様の構成をなすものなので、原稿セットセンサ５５を例に構成を説明する。
【００６４】
原稿セットセンサ５５は、図４に示すように、搬送路４７の下面から突出するとともに、原稿Ｇと接触することにより搬送路４７から退避するように回動する検出子５８と、該検出子５８の回動を検出するフォトインタラプタ５９とからなる。検出子５８は、フォトインタラプタ５９により検知される遮蔽部６０が一体的に形成されており、軸６１を中心に回動自在に設けられている。該検出子５８は、不図示のバネ等の付勢手段により、検出子５８が搬送路４７に突出する位置に、すなわち図において半時計回り方向へ弾性付勢されている。したがって、検出子５８に外力が付与されない状態では、図に実線で示すように、検出子５８は搬送路４７に突出し、遮蔽部６０はフォトインタラプタ５９の発光部と受光部との間に位置する。これにより、フォトインタラプタ５９の光伝達が遮断されて、原稿セットセンサ５５がオフとなる。
【００６５】
一方、給紙トレイ４６に原稿Ｇが載置されると、該原稿Ｇが検出子５８に当接して、該検出子５８を搬送路４７から退避するように回動させる。検出子５８とともに遮蔽部６０も回動され、図に２点鎖線で示すように、遮蔽部６０はフォトインタラプタ５９の発光部と受光部との間から離れる。これにより、フォトインタラプタ５９の光伝達が遮断されなくなり、原稿セットセンサ５５がオンとなる。この原稿セットセンサ５５のオン／オフにより、給紙トレイ４６に原稿Ｇが載置されたか否かが検知される。
【００６６】
また、分離ローラ５０の直下流に配設されたフロントセンサ５６は、そのオン／オフにより、搬送路４７に給送された原稿Ｇの先端又は後端を検知するためのものである。例えば、フロントセンサ５６が原稿Ｇの後端を検知してからの搬送ローラ５１の回転数をエンコーダや搬送モータのステップ数等によって監視することにより、原稿Ｇの先端が所定の搬送ローラ５１に当接する位置にあるか否かが判断される。この所定の搬送ローラ５１により、原稿Ｇの斜行矯正が行われる。
【００６７】
また、読取位置の直上流に配設されたリアセンサ５７は、そのオン／オフにより、搬送路４７を搬送される原稿Ｇの先端及び後端を検知するためのものである。リアセンサ５７が原稿Ｇの先端又は後端を検知してからの搬送ローラ５１の回転数をエンコーダや搬送モータのステップ数等によって監視することにより、原稿Ｇの先端又は後端が読取位置に到達したか否かが判断される。画像読取ユニット４４の画像読取りは、このリアセンサ５７の信号に基づいて制御され、原稿Ｇの先端が読取位置に到達すれば画像読取りが開始され、原稿Ｇの後端が読取位置に到達すれば画像読取りが終了される。
【００６８】
以下、スキャナ部３による画像読取りの動作について説明する。
スキャナ部３は、ＦＢＳとして使用することも、ＡＤＦ４を使用することも可能である。ＡＤＦ４を使用する場合には、原稿カバー４０を原稿載置台２に対して閉じた状態とする。そして、給紙トレイ４６に読み取るべき原稿Ｇが載置される。原稿Ｇは、読取面が上側となるように、所謂フェイスアップにして給紙トレイ４６に載置される。これにより、原稿セットセンサ５５がオンになる。原稿Ｇは１枚であっても複数枚であってもよい。例えば、同じサイズの複数枚の原稿Ｇの画像読取りを行う場合には、各原稿Ｇの読取面が上向きとなるように重ね揃えて給紙トレイ４６に載置される。
【００６９】
そして、操作パネル５のスタートボタンが押下されて読取開始が入力されると、キャリッジモータや搬送モータが駆動されて、吸入ローラ４９、分離ローラ５０、搬送ローラ５１、及び排紙ローラ５２が所定のタイミングで回転駆動される。また、アーム５４が降下されて、吸入ローラ４９が給紙トレイ４６上の原稿Ｇと圧接する。そして、吸入ローラ４９及び分離ローラ５０の回転力を直接受ける最上位置の原稿Ｇから１枚ずつ分離されて搬送路４７へ送り込まれる。給送された原稿Ｇは、搬送路４７に案内されて読取位置へ搬送され、該読取位置の下方で静止された画像読取ユニット４４により原稿Ｇの画像読取りが行われる。そして、画像読取りを終えた原稿Ｇは、排紙トレイ４８へ排出される。
【００７０】
スキャナ部３をＦＢＳとして使用する場合には、原稿カバー４０が開かれてプラテンガラス４２上の所定位置に原稿Ｇが載置される。そして、原稿カバー４０が閉じられることにより、原稿Ｇがプラテンガラス４２上の所定位置に固定される。画像読取ユニット４４は、原稿カバー４０が閉じられる際に、プラテンガラス４２の位置決め部材４５付近において、プラテンガラス４２へ光を照射する。プラテンガラス４２上に原稿Ｇが載置されていれば、該光は原稿Ｇに反射され、その反射光が画像読取ユニット４４に入射する。一方、プラテンガラス４２上に原稿Ｇがない場合には、該光はプラテンガラス４２を通過して外部へ出射し、画像読取ユニット４４は反射光を受光しない。この反射光の強度差により、プラテンガラス４２に原稿Ｇがセットされたか否かを検知することができる。換言すれば、画像読取ユニット４４がＦＢＳにおける原稿セットセンサとして機能する。
【００７１】
そして、操作パネル５のスタートボタンが押下されて読取開始が入力されると、キャリッジモータや搬送モータが駆動されて、プラテンガラス４２と平行して画像読取ユニット４４が移動される。この移動により、プラテンガラス４２上の原稿Ｇに対して画像読取ユニット４４が走査され、原稿Ｇの画像読取りが行われる。
【００７２】
以下、スキャナ部３の開閉機構について説明する。
図５に示すように、スキャナ部３は、プリンタ部２に対して開閉可能である。詳細には、スキャナ部３は、その背面側においてヒンジ機構によりプリンタ部２と連結されており、背面側を支点とし、正面側を自由端として、プリンタ部２に対して上側に回動するように開閉される。
【００７３】
スキャナ部３が開かれることにより、プリンタ部２の上側の空間が開放される。排紙トレイ２１は、プリンタ部２の本体に対して開閉可能である。スキャナ部３を開いた状態で、排紙トレイ２１を開くことにより、プリンタ部２の内部にアクセス可能となる。プリンタ部２の内部へのアクセスは、例えばジャム処理や感光体ベルト２７等の交換等のメンテナンス作業に必要である。
【００７４】
プリンタ部２の上面の両端には一対のサポート部材６が設けられている。サポート部材６は長尺の棒状の部材である。サポート部材６の基端はプリンタ部２の上面に回動自在に支持されており、その先端はスキャナ部３の底面に形成されたガイドレール７に沿って摺動自在に接続されている。サポート部材６は、バネ８によりスキャナ部３を開く方向に回動するように付勢されている。
【００７５】
プリンタ部２及びスキャナ部３の正面側は、スキャナ部３がプリンタ部２に対して閉じた状態で係合するロック機構が設けられている。このロック機構は、スキャナ部３の底面の自由端側、すなわち正面側に設けられた一対のフック９と、プリンタ部２の上面の正面側に、一対のフック９に対応して設けられたロックレバー１０とから構成されている。また、プリンタ部２の上面には、スキャナ部３の開閉状態を検知する開閉センサ１１が設けられている。
【００７６】
図６は、上記ロック機構及び開閉センサ１１の構成を模式的に示したものである。フック９は、スキャナ部３の底面から下方へ向かって突設された鈎状のものである。プリンタ部２の上面には、該フック９と係合可能なロックレバー１０が突設されている。ロックレバー１０は、プリンタ部２の上面に倒伏するように回動可能に設けられている。また、ロックレバー１０はバネ等により付勢されており、外力を受けない状態ではフック９と係合可能な起立状態となる。
【００７７】
図６（ａ）に示すように、スキャナ部３がプリンタ部２に対して閉じた状態では、フック９とロックレバー１０とが係合する。これにより、例えば、サポート部材６の付勢力や僅かな外力等によりスキャナ部３が開くことや、開閉センサ１１のチャタリングが防止される。この状態からスキャナ部３が上方へ持ち上げられることにより、フック９がロックレバー１０を付勢力に反して倒伏され、フック９とロックレバー１０との係合状態が解除される。そして、さらにスキャナ部３が持ち上げられることにより、図６（ｂ）に示すように、スキャナ部３がプリンタ部２に対して開かれる。
【００７８】
開閉センサ１１は所謂光学センサであり、図に示すように、スキャナ部３の底面から突出する検出子１２を、フォトインタラプタ１３により検出することによって、スキャナ部３の開閉状態を検知する。図６（ａ）に示すように、スキャナ部３がプリンタ部２に対して閉じられている場合には、検出子１２はフォトインタラプタ１３の発光部と受光部との間に位置する。これにより、フォトインタラプタ１２の光伝達が遮断されて、開閉センサ１１がオフとなる。一方、図６（ｂ）に示すように、スキャナ部３がプリンタ部２に対して開かれている場合には、検出子１２はフォトインタラプタ１３の発光部と受光部との間から離れる。これにより、フォトインタラプタ１２の発光部と受光部との間で光伝達が行われ、開閉センサ１１がオンとなる。この開閉センサ１１のオン／オフにより、スキャナ部３の開閉状態が検知される。
【００７９】
以下、複合機１の制御部７０について図７を用いて説明する。
図７に示すように、プリンタ部２には、制御部７０が設けられている。この制御部７０は、プリンタ部２及びスキャナ部３の動作を制御する主制御部７１と、プリンタ部２の動作を制御するプリンタ制御部７２とを備える。主制御部７１は、ＣＰＵ、ＲＯＭ、ＲＡＭ、ＥＥＰＲＯＭ（Electrically Erasable and Programmable ROM）を主とするマイクロコンピュータとして構成されている。ＲＯＭには、複合機１の各種動作を制御するためのプログラム等が格納されている。ＲＡＭは、ＣＰＵが上記プログラムを実行する際に用いる各種データを一時的に記録する記憶領域又は作業領域として使用される。
【００８０】
操作パネル５には、操作パネル５の各種ボタンが押下された場合に、所定の入力信号を出力する入力制御部７３が設けられている。この入力制御部７３は、主制御部７１と電気的に接続されており、主制御部７１は、入力制御部７３が出力する入力信号に基づいてプリンタ部２又はスキャナ部３に所定の動作を行わせる。また、主制御部７１には、ＡＤＦ４の原稿セットセンサ５５からの信号や、画像読取ユニット４４からの信号が入力される。
【００８１】
プリンタ制御部７２は、ＡＳＩＣ（Application Specific Integrated Circuit）や駆動回路等から構成され、主制御部７１とデータの送受信可能に接続されている。ＡＳＩＣは、ＣＰＵからの指令に従い、モータに通電する相励磁信号の生成等を行う。ＡＳＩＣは、開閉センサ１１と接続されており、該センサからの信号を受信する。
【００８２】
このように構成された制御部７０により、スキャナ部３の開閉に伴う操作パネル５からの入力の制御が行われる。以下、図８を用いて、スキャナ部３の開閉に伴う入力制御について説明する。
【００８３】
プリンタ部２におけるジャム処理や感光体ベルト２７等のメンテナンス作業のために、図２に示したように、スキャナ部３がプリンタ部２に対して開かれる。スキャナ部３が開かれる際に、使用者は、スキャナ部３の自由端側、すなわち操作パネル５側を持つ可能性が高い。その際に、使用者が意図せずに操作パネル５の操作ボタンを押下して、意図しない入力がされるおそれがある。
【００８４】
スキャナ部３が開かれると、開閉センサ１１がオンになる。開閉センサ１１がオフからオンになることにより、制御部７０は、スキャナ部３が開状態であると判断する（Ｓ１）。制御部７０は、スキャナ部３が開状態であると判断した後、開状態になる前の所定時間内に入力制御部７３から入力信号を受信したか判断する（Ｓ２）。この所定時間は、使用者がスキャナ部３の操作パネル５付近を持ってから、実際にスキャナ部３が開かれるまでの時間を考慮して設定される。
【００８５】
制御部７０は、スキャナ部３が開状態になる前の所定時間内に入力信号を受信している場合には、該入力信号が「停止」を指示するものであるか否かを判断する（Ｓ３）。この「停止」の入力は、操作パネル５のストップボタンが押下されることにより入力される。「停止」の指示は、使用者がスキャナ部３を開くために、複合機１が現在行っている動作を停止するために入力されると想定される。また、「停止」の指示が使用者の意図しないものであっても、複合機１が現在何らかの動作を行っている場合には、「停止」の指示を受け付けることが好適である。したがって、制御部７０は、入力制御部７３からの動作停止を示す入力を開閉センサ１１からの信号のオン／オフにかかわらず常に受け付ける。入力信号が「停止」を指示するものである場合には、制御部７０は、プリンタ部２又はスキャナ部３が行っている動作を停止する（Ｓ６）。
【００８６】
入力信号が「停止」を指示するもの以外の場合には、制御部７０は、その入力信号に基づいて、既にプリンタ部２又はスキャナ部３に動作を行わせているか否かを判断する（Ｓ４）。既にプリンタ部２又はスキャナ部３に動作を行わせている場合には、制御部７０は、その動作を停止させる（Ｓ６）。一方、未だプリンタ部２又はスキャナ部３に動作を行わせていない場合には、制御部７０は、入力制御部７３からの入力信号を無効にする（Ｓ５）。ここで、無効にするとは、制御部７０が入力制御部７３から入力信号を受信するが、当該入力信号に基づく動作を行わずに、入力信号に基づく処理を終了することをいう。
【００８７】
制御部７０は、スキャナ部３が開状態になる前の所定時間後に入力信号を受信した場合には（Ｓ７）、該入力信号を拒否する（Ｓ８）。この場合も、入力信号が「停止」を指示するものであれば該入力信号を受け付けるが、既に、プリンタ部２及びスキャナ部３の動作を停止しているので、さらに動作停止を行うことはない。制御部７０は、その後、スキャナ部３が開状態である間に受信した入力信号を拒否する。
【００８８】
制御部７０は、入力制御部７３からの入力信号を拒否する場合に、警告音を発生させることとしてもよい。このような警告音を発生させるために、制御部７０にスピーカを設けるとともに、制御部７０に該スピーカに所定の警告音を発生させるための警告音生成部を設けることとしてもよい。これにより、仮に使用者が意図する入力を操作パネル５に行ったとしても、制御部７０が入力を拒否した場合にはスピーカから警告音が発生され、使用者は、行った入力が拒否されたことを聴覚により認識することができる。
【００８９】
使用者は、所望のメンテナンス作業を終了すれば、スキャナ部３を閉じる。スキャナ部３が閉じられる際に、使用者は、スキャナ部３の自由端側、すなわち操作パネル５側を持つ可能性が高い。また、スキャナ部３を閉じる場合に、使用者はスキャナ部３の上面を押し下げるようにして操作する可能性が高い。このように、使用者がスキャナ部３を閉じる際にも、使用者が意図せずに操作パネル５のボタンを押下して、意図しない入力がされるおそれがある。
【００９０】
スキャナ部３が閉じられると、開閉センサ１１はスキャナ部３が閉状態であることを示す信号を出力する。制御部７０は、開閉センサ１１の出力信号がオンからオフとなることにより、スキャン部３が閉状態であると判断する（Ｓ９）。
【００９１】
制御部７０は、スキャナ部３が閉状態であることを示す信号を受信してから所定時間が経過したか否かを判断する（Ｓ１０）。この所定時間は、使用者がスキャナ部３の操作パネル５付近を持って又は押さえて、実際にスキャナ部３を閉じてから手を離すまでの時間を考慮して設定される。制御部７０は、スキャナ部３が閉状態であることを示す信号を受信してから所定時間が経過すれば、通常の動作に復帰する。換言すれば、操作パネル５の入力に基づいて、プリンタ部２又はスキャナ部３に所定の動作を行わせる。
【００９２】
制御部７０は、スキャナ部３が閉状態であることを示す信号を受信してから所定時間が経過する前に、スキャナ部３に原稿Ｇがセットされたか否かを判断する（Ｓ１１）。前述したように、スキャナ部３のプラテンガラス４２に原稿Ｇが載置され、原稿カバー４０が閉じられる際に、画像読取ユニット４４が原稿の有無を検知する。また、スキャナ部３のＡＤＦ４の給紙トレイ４６に原稿Ｇが載置されると、原稿セットセンサ５５が原稿有りを示す信号を出力する。このような原稿Ｇのセットは使用者の意志に基づくものである。
【００９３】
制御部７０は、原稿有りの信号を受けた場合に、入力制御部７３から「読取開始」を指示する入力信号を受信すれば（Ｓ１４）、スキャナ部３を動作させて、ＦＢＳ又はＡＤＦ４による画像読取りを行わせる（Ｓ１５）。前述した原稿Ｇのセットは使用者の意志に基づくものであり、その後の「読取開始」の入力も使用者の意志に基づくものである。つまり、使用者がスキャナ部３を閉じた後、直ちに原稿Ｇをセットして画像読取りを開始させる操作を行う場合がある。したがって、制御部７０は、スキャナ部３が閉状態であることを示す信号を開閉センサ１１から受信して所定時間が経過する間に、原稿有りを示す信号を受信した場合には、「読取開始」を示す入力を受け付けて、スキャナ部３に画像読取りを行わせる。なお、「読取開始」の入力は、操作パネル５のスタートボタンが押下されることにより行われ、入力制御部７３が「読取開始」を指示する入力信号を制御部７０に出力する。
【００９４】
制御部７０は、原稿有りの信号を受信していない場合に、入力制御部７３から何らかの入力信号を受信した場合には、該入力信号を拒否する（Ｓ１３）。この場合も、入力信号が「停止」を指示するものであれば該入力信号を受け付けてよい。制御部７０は、その後、スキャナ部３が閉状態である受信して所定時間が経過するまでに受信した入力信号を拒否する。なお、この入力信号の拒否においても、制御部７０は警告音を発生させることとしてもよい。そして、制御部７０は、スキャナ部３が閉状態であることを示す信号を受信してから所定時間が経過すれば、通常の動作に復帰し、操作パネル５の入力に基づいて、プリンタ部２又はスキャナ部３に所定の動作を行わせる。
【００９５】
このように、スキャナ部３が開かれると、開閉センサ１１がスキャナ部３が開状態であることを示す信号を出力し、該信号を受信した制御部７０が、操作パネル５からの入力を拒否することとしたので、スキャナ部３が開かれた後の操作パネル５への入力に基づいてプリンタ部２又はスキャナ部３が動作されることがない。また、制御部７０は、スキャナ部３が開状態である信号を受信する前の所定時間内に受け付けた入力を無効にするので、スキャナ部３が開かれる直前に行われた使用者が意図しない入力が無効になる。これにより、使用者が意図しない入力に基づいて、制御部７０がプリンタ部２又はスキャナ部３を動作させることが防止される。また、制御部７０は、操作パネル５からの入力に基づく動作が行われている場合には、該動作を停止するので、プリンタ部２又はスキャナ部３が動作中にスキャナ部３が開かれ後に、その動作が継続することが防止される。
【００９６】
また、スキャナ部３が閉じられると、開閉センサ１１はスキャナ部３が閉状態であることを示す信号を出力し、該信号を受信した制御部７０は、該信号を受信して所定時間が経過した後に、操作パネル５からの入力を受け付けるので、スキャナ部３が閉じられた直後に行われた使用者が意図しない入力に基づいて、制御部７０がプリンタ部２又はスキャナ部３を動作させることが防止される。
【００９７】
なお、本実施の形態では、制御部７０が開閉センサ１１からスキャナ部３が開状態であることを示す信号を受信した場合に、受信前の所定時間内にされた入力を無効にし、又はその入力に基づく動作を停止することとしたが、開閉センサ１１からスキャナ部３が開状態であることを示す信号を受信した場合に、受信前の入力まで遡ることなく、制御部７０が、開状態を示す信号を受信した後の入力を拒否するものとしてもよい。
【図面の簡単な説明】
【００９８】
【図１】図１は、本発明の実施の形態に係る複合機１の外観構成を示す斜視図である。
【図２】図２は、プリンタ部２の主要構成を示す縦断面図である。
【図３】図３は、スキャナ部３の主要構成を示す縦断面図である。
【図４】図４は、原稿セットセンサ５５の構成を示す断面図である。
【図５】図５は、スキャナ部３が開かれた状態を示す斜視図である。
【図６】図６は、フック９及びロックレバー１０と、開閉センサ１１の構成を示す図である。
【図７】図７は、複合機１の制御部７０の構成を示すブロック図である。
【図８】図８は、スキャナ部３の開閉に伴う制御部７０の制御を示すフローチャートである。
【符号の説明】
【００９９】
１・・・複合機（画像形成装置）
２・・・プリンタ部（装置本体）
３・・・スキャナ部（開閉部、画像読取部）
４・・・ＡＤＦ（自動原稿搬送機構）
５・・・操作パネル（入力部）
１１・・・開閉センサ
４２，４３・・・プラテンガラス
４４・・・画像読取ユニット（原稿セットセンサ）
４６・・・給紙トレイ（原稿載置部）
４７・・・搬送路
４８・・・排紙トレイ（原稿排紙部）
５５・・・原稿セットセンサ
７０・・・制御部
【図１】
2007010949.tif 000003
【図２】
2007010949.tif 000004
【図３】
2007010949.tif 000005
【図４】
2007010949.tif 000006
【図５】
2007010949.tif 000007
【図６】
2007010949.tif 000008
【図７】
2007010949.tif 000009
【図８】
2007010949.tif 000010